(57)【要約】【課題】撮影された映像を所定の距離にある記憶装置に無線で転送できるようにし、有線ケーブルを敷設しにくい空間にも容易に設置できる監視用無線カメラ装置を提供する。【解決手段】 撮影を通して映像信号を受けるＣＭＯＳイメージセンサ部と、前記イメージセンサ部から入力された映像信号をＪＰＥＧまたはＭＰＥＧファイルに変換する映像信号処理部と、前記映像信号処理部で変換された映像信号を外部の記憶装置に接続された受信部に無線で転送する送信部と、前記イメージセンサ部、映像信号処理部及び送信部に駆動電源を供給する電源供給部と、を含んで構成される。【選択図】図２
2006333427.tif 000002
【特許請求の範囲】
【請求項１】
撮影を通して映像信号を受けるＣＭＯＳイメージセンサ(cmos image sensor)部と、
前記イメージセンサ部から入力された映像信号をＪＰＥＧまたはＭＰＥＧファイルに変換する映像信号処理部と、
前記映像信号処理部で変換された映像信号を外部の記憶装置に接続された受信部に無線で転送する送信部と、
前記イメージセンサ部、映像信号処理部及び送信部に駆動電源を供給する電源供給部と、を含んで構成されることを特徴とする監視用無線カメラ装置。
【請求項２】
太陽または照明灯からの光を受けると光起電力を発生させる太陽電池と、
前記太陽電池で発生した光起電力を前記電源供給部で使用する駆動電源に変換する電源制御部と、をさらに含むことを特徴とする請求項１記載の監視用無線カメラ装置。
【請求項３】
前記送信部を無線単一素子(Wireless System On a Chip：ＷｉＳｏＣ)で構成し、超広帯域無線(Ultra Wide Band：ＵＷＢ)技術を用いて映像信号を転送することを特徴とする請求項１記載の監視用無線カメラ装置。
【発明の詳細な説明】
【技術分野】
【０００１】
本発明は、監視用無線カメラ装置に係り、特に、車両や建物等、電源の供給が難しいか、あるいは設置が困難な場所に設置し、映像を受信する際、外部からの別途の電源供給なしで自体電源（自分で発電する能力をもつ）を利用して動作し、映像を無線で転送できるように改善した監視用無線カメラ装置に関する。
【背景技術】
【０００２】
一般に、監視用カメラ装置は、事務室、住宅、病院、銀行またはセキュリティが求められる公共建物等の内外に設置され、出入り管理や防犯用として汎用されている。近年、監視用カメラ装置と感知機を利用して、車両盗難の防止や、盗難車両を追跡し容疑者を検挙できるようにした、カメラを用いた車両盗難防止システムが提案されている。
【０００３】
ほとんどの監視カメラ装置は、壁や天井等、人の手が届かない所に設置される。
【０００４】
前記監視カメラ装置は、設置の形態によってドーム型、セット型、弾丸型、ミニチュア型に大別されるが、特にドーム型とセット型は、室内のインテリアに良く馴染むという長所があり、多用されている。
【０００５】
図１は、ドーム型監視カメラの外形及び設置状態を示す図であり、図２は、セット型監視カメラの外形及び設置状態を示す図である。
【０００６】
図１に示すように、ドーム型監視カメラは、外周縁に雄ネジが形成されたベース１１０と、映像信号を取得する、角度調整可能なカメラモジュール１２０と、前記カメラモジュール１２０露出用の窓が形成された不透明体の半球型カバー１３０と、前記カバー１３０を固定し、外周縁に雄ネジが形成されてベース１１０に螺合するリング型のドームバディー１４０と、からなり、ブラケットによって構造物の壁面や天井に固定設置される。
【０００７】
この際、設置壁面の内側に、カメラモジュール１２０に駆動電源を供給するための電源ケーブル１５０と、カメラモジュール１２０から得られた映像を転送するための映像ケーブル１６０とが配線される。
【０００８】
一方、図２に示すように、セット型監視カメラは、レンズ部１１５と、カメラモジュールを有する本体部１２５と、蓋体１３５とを含んで構成され、ブラケット１４５によって構造物の壁面や天井に固定設置される。この場合も、前記本体部１２５の後方には、カメラモジュールに駆動電源を供給するための電源ケーブル１５５と、カメラモジュールから得られた映像を転送するための映像ケーブル１６５とが接続される。
【０００９】
ところが、このような従来の技術による監視カメラ装置は、いずれも電源ケーブル１５０，１５５及び映像ケーブル１６０，１６５が有線であるため、設置作業が難しくなり、設置場所及び空間に制約がある。また、有線ケーブルの影響で周辺の美観を損ねる（外観がきれいに仕上がらない）恐れもある。
【００１０】
また、外部からの侵入者によって電源ケーブル１５０，１５５が切断されると、カメラモジュールへの駆動電源が停止され、正常な動作が行われないという不具合がある。しかも、映像ケーブル１６０，１６５が切断されると、カメラモジュールから得られた映像の転送が不可能になり、その結果、別途の記憶装置への格納ができなくなるという問題がある。
【発明の開示】
【発明が解決しようとする課題】
【００１１】
本発明は、かかる従来の問題点を解決するためになされたもので、その目的は、撮影された映像を所定の距離にある記憶装置に無線で転送できるようにし、有線ケーブルを敷設しにくい空間にも容易に設置できる監視用無線カメラ装置を提供することにある。
【００１２】
また、本発明の他の目的は、外部からの電源供給なしでも長時間の動作し続けるよう、一般のバッテリ及び太陽電池を駆動電源に用いることにより、電源コードが不要になり、電源供給が困難な場所等にも容易に設置でき、設置作業が簡単に行え、なお、外部からの侵入者による電源供給の遮断が原因で動作が停止してしまう不具合を防止する監視用無線カメラ装置を提供することにある。
【課題を解決するための手段】
【００１３】
上記目的を達成するために、本発明に係る監視用無線カメラ装置は、撮影を通して映像信号を受けるＣＭＯＳイメージセンサ部と、前記イメージセンサ部から入力された映像信号をＪＰＥＧまたはＭＰＥＧファイルに変換する映像信号処理部と、前記映像信号処理部で変換された映像信号を外部の記憶装置に接続された受信部に無線で転送する送信部と、前記イメージセンサ部、映像信号処理部及び送信部に駆動電源を供給する電源供給部と、を含んで構成されることを特徴とする。
【００１４】
また、本発明に係る監視用無線カメラ装置は、好ましくは、太陽または照明灯からの光を受けると光起電力を発生させる太陽電池と、前記太陽電池から発生した光起電力を前記電源供給部で使用する駆動電源に変換する電源制御部と、をさらに含むことを特徴とする。
【００１５】
また、本発明に係る監視用無線カメラ装置は、好ましくは、前記送信部を無線単一素子(Wireless System On a Chip：ＷｉＳｏＣ)で構成し、超広帯域無線(Ultra Wide Band：ＵＷＢ)技術を用いて映像信号を転送することを特徴とする。
【発明の効果】
【００１６】
本発明の監視用無線カメラ装置によれば、撮られた映像を所定の距離にある記憶装置に無線で転送できるので、有線ケーブルを敷設しにくい空間にも容易に設置することができる。
【００１７】
また、一般のバッテリーや太陽電池等を駆動電源として利用できることから、電源コードが不要になり、電源の供給が困難な場所等に容易且つ簡単に設置することができ、さらに、外部からの侵入者による電源供給の遮断が原因で動作が停止されてしまうことを防止することができる。
【発明を実施するための最良の形態】
【００１８】
以下、添付図を参照しつつ、本発明の好適な実施例を詳しく説明する。下記の実施例は、本発明の内容を理解してもらうために提示されているのみであり、当該分野において通常の知識を有する者であれば、本発明の技術的思想を外れない限度内で多様な変形が可能であろう。したがって、本発明の権利範囲はかかる実施例に限定されるものではない。
【００１９】
図３は、本発明の実施例に係る監視用無線カメラ装置の構成を説明するためのブロック図である。
【００２０】
図３によれば、符号１０は撮影を通して映像信号を受信するイメージセンサ部であり、該イメージセンサ部はレンズモジュールを含み、好ましくはＣＭＯＳイメージセンサ(cmos image sensor)を使用する。もちろん、周知のＣＣＤ(Charge Coupled Device：電荷結合素子)モジュールを使用しても良い。
【００２１】
符号２０は、前記イメージセンサ部１０から受信された映像信号を変換する映像信号処理部であり、受信された映像をＪＰＥＧ、またはＭＰＥＧファイルに変換する。
【００２２】
符号３０は、前記映像信号処理部２０で変換された映像信号を無線で転送する送信部であり、 ＷｉＳｏＣで構成できる。この際、好ましくは、前記映像信号処理部２０と送信部３０は一つのチップ(chip)で構成される。前記送信部３０は、ＵＷＢ技術を利用して周波数帯域２０ＭＨ〜１ＧＨｚの映像信号を２.４ＧＨｚの周波数で転送する。この際、前記ＵＷＢ技術は、必要に応じて様々な距離をサポートする装置を備え、１５〜２０メートル半径内における情報交換能力を持つ。また、前記ＵＷＢ技術は、既存の周波数帯の干渉を受けることなく共有して使用でき、さらに数百Ｍｂｐｓに及ぶ広帯域の無線周波数帯を確保でき、しかもブルートゥース(Bluetooth)技術の約１／４といった低消費電力を実現し、壁と地下を貫通できるという特徴を有する。
【００２３】
符号４０は、記憶装置に接続され、前記送信部３０からの映像信号を無線で受信する受信部である。この受信部４０は、映像信号を復調してアナログ信号あるいはデジタル信号として出力でき、ディスプレイ装置によってはエヌ・ティー・エス・シー(National Television System Committee：ＮＴＳＴ)方式またはパル(Phase Alternation by line：ＰＡＬ)方式で出力することができる。
【００２４】
符号５０は、前記イメージセンサ部１０、映像信号処理部２０及び送信部３０に駆動電源を供給する電源供給部であり、一般のバッテリーまたは充電可能な乾電池など各種のものを採用することができる。
【００２５】
符号６０は、太陽または照明灯からの光を受けると光起電力が発生する太陽電池である。また、符号７０は、前記太陽電池６０から発生した光起電力を前記電源供給部５０で使用する駆動電源に変換する電源制御部である。前記太陽電池６０を用いることにより、バッテリ使用による頻繁な交換、コストアップ、バッテリ放電によるカメラ機能停止などを防止することができる。
【００２６】
本発明の出願人は、外部からの電源供給なしで最小の消費電力でシステムを動作するように設計した。このため、全体として３μＡ〜１０ｍＡの低消費電流で動作できるようにした。
【００２７】
よって、本発明は、システムの動作を全体として制御するためのマイコン（図示せず）と、システムが映像信号の取得を必要とする場合にのみ動作するべく動作開始信号を発生させるセンサ（図示せず）と、をさらに備えても良い。この際、動作開始信号を発生させるセンサとしては、人体から発生する赤外線を検出して非接触式で感知する焦電センサを用いることができる。
【００２８】
次に、上記構成の本発明に係る監視用無線カメラ装置の動作を簡単に説明する。
【００２９】
まず、イメージセンサ部１０はレンズモジュールを通して入ってくる光信号を電気的な信号に変換し、その後、映像信号処理部２０はこの信号をデジタル信号に変換し、所定のフォーマットを有するＪＰＥＧまたはＭＰＥＧファイルに変換する。
【００３０】
送信部３０は前記映像信号処理部２０で変換された映像信号を無線で転送し、受信部４０はこの映像信号を受信して復調する。また、それをアナログ信号またはデジタル信号として出力して表示するか、記憶装置に格納する。
【００３１】
このような動作が行われる間、電源供給部５０は駆動電源を供給し、電源制御部７０は太陽電池から発生した光起電力を前記電源供給部５０で使用する駆動電源に変換する。
【００３２】
一方、本発明は、動作開始信号を発生させるセンサが人影を感知した場合に限ってシステム動作を行い、映像信号を得るようにすることもできる。
【図面の簡単な説明】
【００３３】
【図１】従来の技術に係るドーム型監視カメラの外形及び設置状態を示す図である。
【図２】従来の技術に係るセット型監視カメラの外形及び設置状態を示す図である。
【図３】本発明の実施例に係る監視用無線カメラ装置の構成を説明するためのブロック図である。
【符号の説明】
【００３４】
１０    イメージセンサ部
２０    映像信号処理部
３０    送信部
４０    受信部
５０    電源供給部
６０    太陽電池
７０    電源制御部
【図１】
2006333427.tif 000003
【図２】
2006333427.tif 000004
【図３】
2006333427.tif 000005